(57)【特許請求の範囲】
【請求項１】
カバー部材と表示パネルとが両面接着シートによって接着され、
前記カバー部材は、基材と、前記基材の表面に形成された遮光層と、を有し、
前記遮光層は、前記表示パネルの表示領域を縁取る位置に矩形枠状に設けられ、
前記両面接着シートは、前記遮光層に囲まれた領域に位置する前記基材の表面を覆って、前記遮光層の内周側の縁部に乗り上げるように設けられ、
前記両面接着シートが接着された前記遮光層の内周側の縁部には、前記遮光層を貫通しない深さの複数の溝が設けられ、
前記複数の溝は、前記遮光層の内周から外周に向けてそれぞれ延びており、
前記複数の溝は、前記遮光層の内周に沿って並んで配置され、
隣り合う前記溝どうしの間隔は、前記遮光層の内周の角部に近い位置ほど小さくなっている
表示装置。
【請求項２】
前記複数の溝は、前記遮光層の外周に達しない長さにそれぞれ形成されており、
前記両面接着シートの端部は、前記複数の溝が形成された領域よりも外周側で前記遮光層に接着している
請求項１に記載の表示装置。
【発明の詳細な説明】
【技術分野】
【０００１】
本発明は、表示装置に関する。
【背景技術】
【０００２】
表示パネルの表示面に透明なカバー部材が接着された表示装置が知られている（例えば、特許文献１参照）。表示パネルとカバー部材は、例えば、両面接着シートによって接着される。
【先行技術文献】
【特許文献】
【０００３】
【特許文献１】特開２０１５−０１１１７９号公報
【発明の概要】
【発明が解決しようとする課題】
【０００４】
カバー部材は、ガラスなどの透光性の基材と、基材の表面に形成された枠状の遮光層と、を有する。遮光層は、表示パネルの表示領域を縁取る位置に設けられる。両面接着シートは、基材の表面を覆って、遮光層の内周側の縁部に乗り上げるように配置される。遮光層の上面と基材の表面との間には、遮光層の厚みに起因した段差が形成されている。そのため、遮光層の上面と基材の表面とに跨るように両面接着シートを接着すると、この段差の部分に気泡が発生しやすい。気泡は外部に逃げることができないので、遮光層の内周に残留する。
【０００５】
本発明の目的は、遮光層の内周に気泡が残留しにくい表示装置を提供することにある。
【課題を解決するための手段】
【０００６】
本発明の一態様に係る表示装置は、カバー部材と表示パネルとが両面接着シートによって接着され、前記カバー部材は、基材と、前記基材の表面に形成された遮光層と、を有し、前記遮光層は、前記表示パネルの表示領域を縁取る位置に枠状に設けられ、前記両面接着シートは、前記遮光層に囲まれた領域に位置する前記基材の表面を覆って、前記遮光層の内周側の縁部に乗り上げるように設けられ、前記両面接着シートが接着された前記遮光層の内周側の縁部には、前記遮光層を貫通しない深さの複数の溝が設けられ、前記複数の溝は、前記遮光層の内周から外周に向けてそれぞれ延びており、前記複数の溝は、前記遮光層の内周に沿って並んで配置されている。
【図面の簡単な説明】
【０００７】
【図１】図１は、第一の実施形態に係る表示装置の分解斜視図である。
【図２】図２は、表示装置の一部を示す断面図である。
【図３】図３は、両面接着シート側から見たカバー部材の平面図である。
【図４】図４は、カバー部材の一部を拡大して示す平面図である。
【図５】図５は、図４のＡ−Ａ′線に沿う断面図である。
【図６】図６は、溝の長手方向と平行な遮光層の断面形状の一例を示す図である。
【図７】図７は、溝の長手方向と平行な遮光層の断面形状の一例を示す図である。
【図８】図８は、第二の実施形態に係る表示装置の溝の配置を示す平面図である。
【発明を実施するための形態】
【０００８】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
［第一の実施形態］
図１は、第一の実施形態に係る表示装置１００の分解斜視図である。図２は、表示装置１００の一部を示す断面図である。
【００１０】
図１に示すように、表示装置１００は、カバー部材１０と、表示パネル２０と、収容ケース３０と、を有する。図２に示すように、カバー部材１０と表示パネル２０とは両面接着シート４０によって接着されている。
【００１１】
表示パネル２０は、例えば、第一の基板２１と、第二の基板２３と、第一の偏光板２２と、第二の偏光板２４と、を有する。第一の基板２１と第二の基板２３との間には、例えば、液晶層が設けられている。第一の偏光板２２と第二の偏光板２４は、第一の基板２１と第二の基板２３の外面にそれぞれ接着されている。表示パネル２０の中央部は表示領域２０Ａとなっている。表示パネル２０は、表示面（第一の偏光板２２の表面）にカバー部材１０が接着された状態で収容ケース３０に収容されている。
【００１２】
収容ケース３０は、表示パネル２０を収容する収容空間３０Ａを有する。収容空間３０Ａには、表示パネル２０とともに図示略のバックライトが収容される。カバー部材１０は、表示パネル２０の表示面を保護するとともに、収容空間３０Ａの上部を塞ぐ蓋部材として機能する。図１において符号２５および符号２６は、表示パネル２０およびバックライトとそれぞれ電気的に接続されたフレキシブルプリント回路基板である。
【００１３】
カバー部材１０は、基材１２と、基材１２の表面に形成された遮光層１１と、を有する。基材１２は、ガラスなどの透光性の部材で構成されている。遮光層１１は、可視光を吸収する部材で形成されている。遮光層１１に囲まれた領域は、可視光を透過する透光部である。遮光層１１は、表示パネル２０の表示領域２０Ａを縁取る位置に枠状に設けられている。両面接着シート４０は、遮光層１１に囲まれた領域に位置する基材１２の表面を覆って、遮光層１１の内周側の縁部１１Ｅに乗り上げるように設けられている。
【００１４】
図３は、両面接着シート４０側から見たカバー部材１０の平面図である。図４は、カバー部材１０の一部を拡大して示す平面図である。図５は、図４のＡ−Ａ′線に沿う断面図である。
【００１５】
図３ないし図５に示すように、両面接着シート４０が接着された遮光層１１の内周１５側の縁部１１Ｅ（図２参照）には、遮光層１１を貫通しない深さの複数の溝１１Ｓが設けられている。複数の溝１１Ｓは、遮光層１１の内周１５から外周に向けてそれぞれ延びている。複数の溝１１Ｓは、遮光層１１の内周１５に沿って並んで配置されている。複数の溝１１Ｓは、遮光層１１の外周に達しない長さにそれぞれ形成されている。両面接着シート４０の端部は、複数の溝１１Ｓが形成された領域よりも外周側で遮光層１１に接着している。
【００１６】
図２に示したように、遮光層１１の上面と基材１２の表面との間には、遮光層１１の厚みに起因した段差が形成されている。そのため、遮光層１１の上面と基材１２の表面とに跨るように両面接着シート４０を接着すると、この段差の部分に気泡が発生しやすい。気泡は外部に逃げることができないので、遮光層１１の内周に残留する。
【００１７】
そのため、本実施形態では、遮光層１１の内周１５側の縁部１１Ｅに複数の溝１１Ｓが形成されている。この構成では、図４に示すように、遮光層１１の内周１５近傍に位置する気泡Ｂは、溝１１Ｓに流入する。そのため、遮光層１１の内周に気泡Ｂが残留することが抑制される。溝１１Ｓは、遮光層１１を貫通しない深さに形成されているため、溝１１Ｓが形成された部分も光が遮光される。よって、溝１１Ｓに流入した気泡Ｂが表示に影響を与えることが抑制される。
【００１８】
溝１１Ｓの平面形状は任意である。本実施形態では、例えば、図４に示すように、溝１１Ｓの平面形状は、遮光層１１の内周１５と直交する方向に延びる矩形形状である。複数の溝１１Ｓは、一定の間隔で遮光層１１の内周に沿って並んでいる。しかし、溝１１Ｓの平面形状はこれに限定されない。例えば、溝１１Ｓの平面形状は、遮光層１１の内周から外周に向かって溝１１Ｓの幅が変化する形状でもよい。溝１１Ｓの延在方向も、遮光層１１の内周１５と直交する方向に限らず、遮光層１１の内周１５と交差する方向でもよい。
【００１９】
溝１１Ｓの断面形状も任意である。図６および図７は、溝１１Ｓの長手方向と平行な遮光層１１の断面形状の一例を示す図である。図６の例では、溝１１Ｓの深さは溝１１Ｓの長手方向全体にわたって概ね一定である。溝１１Ｓの外周側の端部は若干湾曲している。図７の例でも、溝１１Ｓの深さは溝１１Ｓの長手方向全体にわたって概ね一定である。溝１１Ｓの外周側の端部にはテーパーが形成されており、溝１１Ｓの深さは、遮光層１１の外周に向かって徐々に小さくなっている。
【００２０】
上述した本実施形態の表示装置１００では、遮光層１１の内周１５側の縁部１１Ｅに複数の溝１１Ｓが形成されているため、遮光層１１の内周１５付近に発生した気泡Ｂは、溝１１Ｓに流入する。そのため、遮光層１１の内周に気泡が残留しにくい表示装置１００が提供できる。また、溝１１Ｓの深さは、遮光層１１の厚みよりも小さいため、溝１１Ｓが形成された部分から光漏れが発生することがない。よって、表示品質に優れた表示装置１００が得られる。
【００２１】
［第二の実施形態］
図８は、第二の実施形態に係る表示装置の溝１１Ｓの配置を示す平面図である。本実施形態において第一の実施形態と共通する構成要素については、同じ符号を付し、詳細な説明は省略する。
【００２２】
本実施形態において第一の実施形態と異なる点は、溝１１Ｓの間隔が、遮光層１１の内周１５に沿って分布を持つ点である。本実施形態では、例えば、遮光層１１は矩形枠状に形成され、隣り合う溝１１Ｓどうしの間隔は、遮光層１１の内周１５の角部に近い位置ほど小さくなっている。
【００２３】
前述のように、気泡は遮光層１１の内周１５の近傍で発生しやすい。そのため、二つの辺が交差する内周１５の角部には、各辺の中央部よりも気泡が残留しやすい。本実施形態では、気泡が残留しやすい角部付近の溝１１Ｓの間隔が、各辺の中央部に設けられた溝１１Ｓの間隔よりも小さくなっている。そのため、気泡を効率的に除去することができる。
【００２４】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。上述した発明を基にして当業者が適宜設計変更して実施しうる全ての発明も、本発明の要旨を包含する限り、本発明の技術的範囲に属する。
【符号の説明】
【００２５】
１０  カバー部材
１１  遮光層
１１Ｅ  遮光層の内周側の縁部
１１Ｓ  溝
１２  基材
１５  遮光層の内周
２０  表示パネル
２０Ａ  表示領域
４０  両面接着シート
１００  表示装置
【図１】
0006566739.tif 000002
【図２】
0006566739.tif 000003
【図３】
0006566739.tif 000004
【図４】
0006566739.tif 000005
【図５】
0006566739.tif 000006
【図６】
0006566739.tif 000007
【図７】
0006566739.tif 000008
【図８】
0006566739.tif 000009